(57)【要約】【課題】ストッパ部材を強固なものとし、天板をロック位置に確実に保持しうるようにするとともに、容易に天板をロックしたり、ロックを解除したりすることができるようにした天板スライド式机を提供する。【解決手段】天板１のロック装置２１を、左右の側脚同士を連結する前後の連結杆５、６の対向面に固着され、かつ上面に係止部３３を有する固定ストッパ部材２５と、天板１の下面に前後方向に移動可能に設けられた操作レバー２４と、天板１と共に前後方向に移動しうるように、かつ天板１に対する操作レバー２４の前後移動と連係して上下動しうるように設けられ、操作レバー２４の非操作時に係止部３３に係止する移動ストッパ部材３８とを備えるものとし、操作レバー２４を前方に操作することにより、前記係止部３３より離脱して、天板１のロックが解除されるようにする。【選択図】  図６
2010252849.tif 000002
【特許請求の範囲】
【請求項１】
左右１対の側脚同士を、左右方向を向く前後１対の連結杆により連結してなる天板支持体により、天板を前後方向に移動可能に支持し、かつロック装置により、天板を、前方の所定のスライド位置にロックしうるようにしてなる天板スライド式机において、
前記ロック装置は、前記前後の連結杆における左右方向の中間部の対向面に固着され、かつ上面に係止部を有する固定ストッパ部材と、この固定ストッパ部材と対向する前記天板の下面に前後方向に移動可能に設けられた操作レバーと、この操作レバーと前記固定ストッパ部材との間に前記天板と共に前後方向に移動しうるように、かつ天板に対する前記操作レバーの前後移動と連係して上下動しうるように設けられ、前記操作レバーの非操作時に前記係止部に係止しうる被係止部を有する移動ストッパ部材とを備えるものとし、前記操作レバーを前方に操作することにより、前記被係止部が前記係止部より離脱して、前記天板のロックが解除されるようにしたことを特徴とする天板スライド式机。
【請求項２】
固定ストッパ部材が、前後方向を向く水平な板材の左右両側縁に、１対の起立片を有するとともに、両起立片の上端部に上方に開口する、係止部としての凹状の係止溝を備えるものとし、かつ移動ストッパ部材は、前記左右の起立片の離間寸法よりも長寸をなすとともに、両側端部が天板の下面より垂下する左右１対の下向片により上下動可能に支持された板材よりなり、この移動ストッパ部材における両側端部を被係止部として、前記左右の係止溝と係脱しうるようにしてなる請求項１記載の天板スライド式机。
【請求項３】
移動ストッパ部材を、上向き付勢手段により、係止部より離脱する方向に上向きに付勢するとともに、操作レバーを、前記上向き付勢手段よりも大きな付勢力の後向き付勢手段により後方に付勢することにより、操作レバーに連係された移動ストッパ部材を下向きに押圧し、その被係止部が固定ストッパ部材の係止部に係止しうるようにしてなる請求項１または２記載の天板スライド式机。
【請求項４】
移動ストッパ部材の前縁に、斜め前下方を向く下向傾斜片を設け、この下向傾斜片の上面に操作レバーの後端部下面を摺接させることにより、操作レバーの前後方向への移動時に、前記移動ストッパ部材が上下方向に移動して、固定ストッパ部材の係止部と係脱しうるようにしてなる請求項３記載の天板スライド式机。
【発明の詳細な説明】
【技術分野】
【０００１】
本発明は、天板支持体上に、天板を、前後方向に移動可能に装着してなる机に係わり、特に、天板を所定位置でロックするロック装置を備える机に関する。
【背景技術】
【０００２】
この種のロック装置を備える天板スライド式机としては、天板の下面中央の凹部内に収容した前後方向を向く操作レバーの前端部を上向きに操作することにより、この操作レバーに設けた前後複数の係合孔を、左右の脚体を連結する横杆の中央部に上向き突設した係合軸に選択的に係脱させて、前後方向にスライドさせた天板をロックしうるようにしたもの(例えば特許文献１参照)や、机本体の側端部に前方に引き出し可能に設けたストッパ部材の係止手段により、前方にスライドさせた天板の後方への移動を阻止しうるようにしたもの(例えば特許文献２参照)がある。
【０００３】
また、天板側端部下面に設けたラッチハウジングに、前後複数のラッチ部材を上下方向に回動自在に枢着し、このラッチ部材を、ラッチ解除レバーの回動操作と連動して前後方向に移動するロッドに設けた作動部材により回動させることにより、左右方向向く横架材とラッチ部材との係合を解除し、天板を前方の所定位置にスライドさせて、再度ラッチ部材を横架材に係止することにより、前方にスライドさせた天板を前後複数位置で係止させうるようにしたものもある(例えば特許文献３参照)。
【先行技術文献】
【特許文献】
【０００４】
【特許文献１】特開２００４−２９８２４２号公報
【特許文献２】特開２００２−３３６０５７号公報
【特許文献３】特開２００６−１０１９４９号公報(図１１〜図１４)
【発明の概要】
【発明が解決しようとする課題】
【０００５】
上記特許文献１に記載されている天板スライド式机においては、横杆の中央部に突設した係合軸のみにより天板がロックされるようになっているので、左右寸法の大きな大型の天板を有する机では、係合軸を中心として天板が前後方向にぐらつく恐れがある。
また、前後方向を向く操作レバーの前端部を上向きに操作して、操作レバー全体を上向きに回動させ、それに設けた係合孔を係合軸に係脱させなければならないので、操作レバーを強く押し上げる必要がある。
【０００６】
特許文献２に記載天板スライド式机は、ストッパ部材を机本体の前方に一旦引き出したのち、天板を前方にスライドさせ、ストッパ部材の係止手段により天板の後方への移動を阻止するものであるため、２段階の操作が必要であり、操作性が悪い。
【０００７】
特許文献３に記載の天板スライド式机は、ラッチ部材を単に横架材の上縁角部に係止させて、天板の前方または後方への移動を阻止するようになっているので、前後方向の中間位置においてラッチ部材により係止した天板が、簡単に後方に移動してしまう。
また、ラッチ解除レバーの回動操作と、天板のスライド操作との二つの操作を要し、これらの操作を両手で行わなければならないので、操作性が悪い。
さらに、ラッチ部材と横架材との係止部が１箇所であり、かつストッパ部材の強度も小さいので、天板を安定よくロックし得ないだけでなく、天板に前後方向の強い力が加わったり、机を長期間使用したりした際に、ラッチ部材と横架材との係合が外れ易くなる恐れがある。
【０００８】
本発明は、上記問題点に鑑みてなされたもので、ストッパ部材を強固なものとし、天板をロック位置に確実に保持しうるようにするとともに、容易に天板をロックしたり、ロックを解除したりすることができるようにした天板スライド式机を提供することを目的としている。
【課題を解決するための手段】
【０００９】
本発明によると、上記課題は、次の各項のようにして解決される。
（１）左右１対の側脚同士を、左右方向を向く前後１対の連結杆により連結してなる天板支持体により、天板を前後方向に移動可能に支持し、かつロック装置により、天板を、前方の所定のスライド位置にロックしうるようにしてなる天板スライド式机において、前記ロック装置は、前記前後の連結杆における左右方向の中間部の対向面に固着され、かつ上面に係止部を有する固定ストッパ部材と、この固定ストッパ部材と対向する前記天板の下面に前後方向に移動可能に設けられた操作レバーと、この操作レバーと前記固定ストッパ部材との間に前記天板と共に前後方向に移動しうるように、かつ天板に対する前記操作レバーの前後移動と連係して上下動しうるように設けられ、前記操作レバーの非操作時に前記係止部に係止しうる被係止部を有する移動ストッパ部材とを備えるものとし、前記操作レバーを前方に操作することにより、前記被係止部が前記係止部より離脱して、前記天板のロックが解除されるようにする。
【００１０】
このような構成とすると、固定ストッパ部材を、左右の側脚同士を連結する前後１対の連結杆の対向面に固定してあるので、固定ストッパ部材の取付強度が大きく、かつ前後の連結杆も固定ストッパ部材により補強される。従って、ロック状態において天板に前後方向の強い力が加わっても、固定ストッパ部材や連結杆が撓むなどして、天板が前後方向にがたつく恐れはない。
また、操作レバーを前方に操作すると、それに連係された移動ストッパ部材の被係止部が、固定ストッパ部材の係止部より離脱して、天板のロックが解除されるので、操作レバーによるロック解除操作と天板の前後方向への移動操作とを、一つの動作で同時に、かつ片手で容易に行うことができ、操作性が向上する。
【００１１】
（２）上記(１)項において、固定ストッパ部材が、前後方向を向く水平な板材の左右両側縁に、１対の起立片を有するとともに、両起立片の上端部に上方に開口する、係止部としての凹状の係止溝を備えるものとし、かつ移動ストッパ部材は、前記左右の起立片の離間寸法よりも長寸をなすとともに、両側端部が天板の下面より垂下する左右１対の下向片により上下動可能に支持された板材よりなり、この移動ストッパ部材における両側端部を被係止部として、前記左右の係止溝と係脱しうるようにする。
【００１２】
このような構成とすると、固定ストッパ部材の係止溝は、左右方向に離間して１対設けられ、この左右の係止溝に、左右方向に長寸の移動ストッパ部材の両側端部が係止することにより、天板がロックされるので、ロック状態において天板が前後方向にぐらつく恐れはなく、天板をロック位置に安定よく確実に保持することができる。従って、天板を前方にスライドさせた状態での作業を安全に行うことができる。
また、固定ストッパ部材の係止部を、上方に開口する凹状の係止溝としてあるので、移動ストッパ部材の両側端部を、係止溝に上方より容易に係脱することができる。
【００１３】
（３）上記(１)または(２)項のいずれかにおいて、移動ストッパ部材を、上向き付勢手段により、係止部より離脱する方向に上向きに付勢するとともに、操作レバーを、前記上向き付勢手段よりも大きな付勢力の後向き付勢手段により後方に付勢することにより、操作レバーに連係された移動ストッパ部材を下向きに押圧し、その被係止部が固定ストッパ部材の係止部に係止しうるようにする。
【００１４】
このような構成とすると、移動ストッパ部材は、上向き付勢手段により、係止部より離脱する方向に常時付勢されているので、操作レバーを前方に操作するだけで、天板のロックを確実に解除することができる。
また、操作レバーの非操作時には、移動ストッパ部材は、上向き付勢手段よりも大きな付勢力の後向き付勢手段により下向きに強制的に押圧され、被係止部が固定ストッパ部材の係止部に係止しうるようになっているので、天板はロック位置に確実に保持され、不意に前後方向に移動する恐れがない。
【００１５】
（４）上記(３)項において、移動ストッパ部材の前縁に、斜め前下方を向く下向傾斜片を設け、この下向傾斜片の上面に操作レバーの後端部下面を摺接させることにより、操作レバーの前後方向への移動時に、前記移動ストッパ部材が上下方向に移動して、固定ストッパ部材の係止部と係脱しうるようにする。
【００１６】
このような構成とすると、操作レバーが前後方向に移動するだけで、移動ストッパ部材が上向き付勢手段に抗して上下動し、固定ストッパ部材の係止部に自動的に係脱することができる。
【発明の効果】
【００１７】
本発明によれば、固定ストッパ部材を、左右の側脚同士を連結する前後１対の連結杆の対向面に固定してあるので、固定ストッパ部材の取付強度が大きく、かつ前後の連結杆も固定ストッパ部材により補強される。従って、ロック状態において天板に前後方向の強い力が加わっても、固定ストッパ部材や連結杆が撓むなどして、天板が前後方向にがたつく恐れはない。
また、操作レバーを前方に操作すると、それに連係された移動ストッパ部材の被係止部が、固定ストッパ部材の係止部より離脱して、天板のロックが解除されるので、操作レバーによるロック解除操作と天板の前後方向への移動操作とを、一つの動作で同時に、かつ片手で容易に行うことができ、操作性が向上する。
【図面の簡単な説明】
【００１８】
【図１】本発明の天板スライド式机の斜視図である。
【図２】同じく、平面図である。
【図３】図２のIII-III線拡大縦断側面図である。
【図４】ロック装置取付部の拡大平面図である。
【図５】図４のV-V線拡大縦断正面図である。
【図６】同じく、VI-VI線拡大縦断側面図である。
【図７】操作レバーを操作時の拡大縦断側面図である。
【図８】天板を最前部でロックしたときの縦断側面図である。
【図９】同じく、最前部でロックを解除したときの縦断側面図である。
【発明を実施するための形態】
【００１９】
以下、本発明の実施形態を、図面に基づいて説明する。
図１は、本発明の天板スライド式机の斜視図、図２は、同じく平面図、図３は、図２のIII-III線に沿う縦断側面図で、この天板スライド式机は、横長の天板１を、その下方の天板支持体２により、前後方向に移動可能として支持したものよりなっている。
【００２０】
天板支持体２は、前後方向を向き、かつ側面視ほぼコ字状をなす左右１対の側脚３、３の後端同士を、左右方向を向く幕板４をもって連結するとともに、同じく、上部の前部と中間部との対向面同士を、左右方向を向く前後の連結杆５、６をもって連結することにより形成されている。
【００２１】
左右の側脚３、３間における幕板４の前方かつ連結杆６の後方には、前面カバー７が着脱自在に装着されており、この幕板４と前面カバー７との間に、機器収容空間８が形成されている。
【００２２】
天板１の両側端部下面と左右の側脚３の上端との間には、公知のサスペンションレールよりなるガイドレール９、９が設けられ、天板１は、両ガイドレール９により、左右の側脚３の上面及び前後の連結杆５、６の上面より若干離間するようにして、図２、図３に想像線で示す後限位置(Ａ)から、同じく前限位置(Ｂ)までの間を、円滑に前後方向に移動しうるように支持されている。
【００２３】
天板１が後限位置(Ａ)に位置しているときは、機器収容空間８の上端の開口は、天板１の後部により完全に閉塞され、また天板１が前限位置(Ｂ)に位置しているときは、機器収容空間８の上端の開口は、完全に開放するようにしてある。なお、天板１を後限及び前限位置で停止保持するロック装置２１については、後述する。
【００２４】
天板支持体２における機器収容空間８には、３個の機器昇降手段１０が、左右方向に並べて配設されている。
各機器昇降手段１０は、幕板４に固着された、左右１対のガイドレール１１を備える支持フレーム１２と、ガイドレール１１に昇降可能に支持され、上端に昇降支柱１３が立設された昇降体１４と、この昇降体１４を引き上げるように、かつ機器の重量とバランスするように付勢する定荷重ばね(図示略)とを備え、昇降支柱１３の中間部に取り付けたパソコンのディスプレイ１５等の機器を、機器収容空間８の上端の開口を開いた状態で、図３に想像線で示すように、機器収容空間８内に収容された収容位置から、同じく実線で示すように、ディスプレイ１５が天板１より上方に位置する使用位置まで、昇降させうるようになっている。
なお、図２、図３の実線で示すように、天板１は、その後端が、上昇させたときの昇降支柱１３の前面に当接または近接する中間位置(Ｃ)においても、後述するロック装置２１により停止保持しうるようになっている。
【００２５】
昇降支柱１３の前面におけるディスプレイ１５より下方の位置には、中間位置(Ｃ)に位置している天板１の上面に当接して、上昇している昇降支柱１３の下降を阻止するストッパ１６が突設されている。
【００２６】
図１に示すように、天板１の下方における左右方向の中央部には、収容ボックス１７が設けられ、ここに、パソコン本体１８、１８を収容し、ディスプレイ１５用のキーボード１９は、不使用時には、天板１の下方における連結杆５に固着したトレー２０に収容しうるようにしてある。
【００２７】
図２に示すように、天板１の左右方向の中央部下面と、前後の連結杆５、６の対向面間の左右方向の中央部とには、天板１のロック装置２１が設けられている。
ロック装置２１は、図４〜図６に示すように、天板１の下面の中央部に複数のねじ２２により固定された前後方向を向く矩形平板状の基板２３と、この基板２３の下面に沿って前後方向に摺動する平板状の操作レバー２４と、この操作レバー２４の後半部の下方に位置するようにして、前後の連結杆５、６間に設けられた板材よりなる固定ストッパ部材２５とを備えている。
【００２８】
操作レバー２４の前端には、下向きの把手２４ａが、天板１の前端部の下方に位置するようにして、折曲形成され、また、同じく前後の端部には、前後方向を向く左右１対ずつの長孔２６、２６が穿設されている。
各長孔２６に下方より挿入した段付きボルト２７を、基板２３を貫通させて、天板１の下面に螺挿することにより、操作レバー２４は、４個の段付きボルト２７により支持され、かつ各段付きボルト２７に形成された角軸部２７ａを、各長孔２６に前後方向に摺動可能に嵌合することにより、操作レバー２４は、天板１及び基板２３に対して前後方向に移動させうるようになっている。
【００２９】
操作レバー２４の後端には、下向片２８ａと、それに連続する後向片２８ｂと、後向片２８ｂの後端部に連設された斜め後上方を向く上向傾斜片２８ｃとからなる側面視Ｌ字状断面の押動部２８が連設され、下向片２８ａの両側端部と、基板２３の後端に連設された下向折曲片２３ａの両側端部とには、引張コイルばね２９、２９の前後の足片２９ａ、２９ａが係止されている。
左右の引張コイルばね２９、２９により、操作レバー２４は、常時後向きに付勢され、段付きボルト２７の角軸部２７ａが長孔２６の前端と当接する後限に位置して停止している（図４、図６参照）。
【００３０】
固定ストッパ部材２５の左右寸法は、操作レバー２４のそれよりも大とされ、前端に連設された上向片２５ａと、左右両側縁の後端に連設された外向起立片２５ｂ、２５ｂを、それぞれ前後の連結杆５、６の対向面に、ボルト３０とナット３１により固定することにより、固定ストッパ部材２５は、操作レバー２４の押動部２８の下方に位置するようにして、前後の連結杆５、６の間に取り付けられている。
【００３１】
固定ストッパ部材２５の左右の側縁には、前後方向を向く左右１対の起立片３２、３２が連設され、両起立片３２の前後の端部と後部寄りの中間部には、上方に開口する側面視凹状の係止溝３３が形成されている。両起立片３２の高さは、上記操作レバー２４の後向片２８ｂの下面よりも僅かに下位となるようにしてある。
固定ストッパ部材２５の両側端部には、前後方向に長いガイド孔３４、３４が形成されている。
【００３２】
図４及び図５に示すように、基板２３の後端部の両側縁には、下向片３５ａとそれに連続する内向片３５ｂよりなる内向きＬ字状断面の支持片３５、３５が、内向片３５ｂに固定ストッパ部材２５が載置されるようにして連設されている。
左右の下向片３５ａ、３５ａに穿設された通孔３６、３６には、軸受部材３７、３７が圧嵌され、両軸受部材３７には、左右寸法が上記固定ストッパ部材２５の左右の起立片３２間の離間寸法よりも長寸の、板材よりなる移動ストッパ部材３８の両側端部が、上下に移動可能に遊嵌されている。
【００３３】
移動ストッパ部材３８の中央部の前縁には、斜め前下方に向かって延出する下向傾斜片３８ａが一体的に連設されている。なお、下向傾斜片３８ａを含む移動ストッパ部材３８の前後寸法は、操作レバー２４を前後限まで移動させても、その後向片２８ｂの前端と上向傾斜片２８ｃの後端から外れない長さとしてある。
【００３４】
左右の内向片３５ｂに穿設された通孔３９には、上部に拡径鍔部４０ａを有する軸受部材４０が圧嵌され、両軸受部材４０には、下端に拡径頭部４１ａを有するとともに、上端部が小径のねじ軸４１ｂとなっている支持軸４１が、上下に摺動可能に嵌合されている。拡径鍔部４０ａよりも上方の支持軸４１には、圧縮コイルばね４２が嵌合されている。
【００３５】
左右の支持軸４１のねじ軸４１ｂは、移動ストッパ部材３８の両側端部に設けためねじ孔４３に螺合され、この際に、圧縮コイルばね４２が移動ストッパ部材３８と拡径鍔部４０ａ間において圧縮されることにより、移動ストッパ部材３８は常時上向きに付勢されている。その結果、図４〜図６に示すように、移動ストッパ部材３８の中央部上面が、常時後方に付勢されている操作レバー２４の後向片２８ｂの下面と当接し、かつ支持軸４１の下端部が、固定ストッパ部材２５の下方に突出した状態に保持される。なお、左右の引張コイルばね２９による操作レバー２４の後方への付勢力は、左右の圧縮コイルばね４２による移動ストッパ部材２５の上向付勢力よりも十分大きく、移動ストッパ部材３８の中央部が、常に操作レバー２４の後向片２８ｂにより下方に押圧されるようにしてある。
【００３６】
図４に示すように、左右の軸受部材４０、４０の拡径鍔部４０ａ、４０ａは、固定ストッパ部材２５の左右のガイド孔３４、３４に、前後方向に摺動可能に嵌合されており、移動ストッパ部材３８は、実質的に左右のガイド孔３４に案内されて、天板１と共に前後方向に安定的に移動しうるようになっている。
【００３７】
次に、上記ロック装置２１を用いて、天板１の前後移動をロックしたり、ロックを解除したりする要領について説明する。
図２及び図３に示すように、天板１が後限位置(Ａ)に位置して、機器収容空間８の上端の開口を完全に閉塞しているときには、図６に示すように、操作レバー２４は、引張コイルばね２９の付勢力により後限に位置し、押動部２８の後向片２８ｂにより、移動ストッパ部材３８が下向きに押圧されている。これにより、移動ストッパ部材３８の両側端部が、圧縮コイルばね４２に抗して、固定ストッパ部材２５における左右の起立片３２、３２の最後部の係止溝３３、３３に嵌合して係止され、天板１が前後方向に移動するのがロックされている。
【００３８】
この状態において、把手２４ａに手を掛けて、操作レバー２４を、引張コイルばね２９に抗して前限まで引くと、図７に示すように、移動ストッパ部材３８の上面を押圧していた押動部２８が前方に移動し、上向傾斜片２８ｃが、移動ストッパ部材３８の下向き傾斜片３８ａの前端部上面に位置する。すると、それに連動して、移動ストッパ部材３８全体が圧縮コイルばね４２の付勢力により上昇させられ、移動ストッパ部材３８の両側端部が、最後部の係止溝３３より離脱し、ロックが解除される。
【００３９】
これにより、操作レバー２４を引いた状態のまま、天板１を前方に移動させることができる。なお、移動ストッパ部材３８の両側端部が、最後部の係止溝３３の若干前方に位置した時点においては、操作レバー２４から手を離して天板１を前方に移動させることができる。すなわち、この際に操作レバー２４から手を離しても、移動ストッパ部材３８の両側端部が固定ストッパ部材２５の左右の起立片３２の上端に当接するだけで、係止溝３３に再嵌合することがないからである。
【００４０】
操作レバー２４から手を離したまま、天板１をさらに前方に移動させ、移動ストッパ部材３８の両側端部が、固定ストッパ部材２５における起立片３２の中間部の係止溝３３の上方に到達すると、引張コイルばね２９の付勢力により、操作レバー２４が後方に移動させられるのと同時に、移動ストッパ部材３８が下向きに押動させられ、その両側端部が起立片３２の中間部の係止溝３３に自動的に嵌合して係止される。これにより、天板１は、図２及び図３に示す中間位置(Ｃ)にロックされる。
【００４１】
機器収容空間８の上端を大きく開放して、ディスプレイ１５等を機器収容空間８より昇降させる際には、図８に示すように(若干縮小して示す)、操作レバー２４を前方に引いたまま、天板１を前方に移動させ、移動ストッパ部材３８の両側端部を、固定ストッパ部材２５における起立片の３２の最前部の係止溝３３に係止させればよい。
これにより、天板１は、図２及び図３に示す前限位置(Ｂ)でロックされる。なお、この際も、上記と同様、移動ストッパ部材３８が中間部の係止溝３３を通過した後、操作レバー２４から手を離すことにより、移動ストッパ部材３８の両側端部を最前部の係止溝３３に自動的に嵌合させることができる。
【００４２】
この状態で把手２４ａを引いて操作レバー２４を前方に移動させると、図９に示すように、移動ストッパ部材３８が圧縮コイルばね４２により上昇させられるので、図７に示すのと同様に、天板１のロックが解除され、天板１を後方に移動させることができる。
【００４３】
以上説明したように、上記実施形態の天板スライド式机においては、固定ストッパ部材２５を、左右の側脚３同士を連結する前後の連結杆５、６の対向面に固定してあるので、固定ストッパ部材２５の取付強度が大きく、かつ前後の連結杆５、６も固定ストッパ部材２５により補強される。従って、ロック状態において天板１に前後方向の強い力が加わっても、固定ストッパ部材２５や連結杆５、６が撓むなどして、天板１が前後方向にがたつく恐れはない。
【００４４】
また、固定ストッパ部材２５の前後複数の係止溝３３は、左右方向に離間して１対ずつ設けられ、これら左右の係止溝３３に、引張コイルばね２９の付勢力により常時下向きに押圧されている移動ストッパ部材３８の両側端部が嵌合して、天板１がロックされるようにしてあるので、ロック状態において天板１が不意に前後方向に移動したり、ぐらついたりするのが防止され、天板１をロック位置に安定よく確実に保持することができる。従って、天板１を前方にスライドさせた状態で、ディスプレイ１５等の機器の昇降作業などを安全に行うことができる。
【００４５】
操作レバー２４によるロック解除操作と、天板１の前後方向への移動操作とを、一つの動作で同時に、かつ片手で容易に行いうるので、操作性がよい。
【符号の説明】
【００４６】
１  天板
２  天板支持体
３  側脚
４  幕板
５  連結杆
６  連結杆
７  前面カバー
８  機器収容空間
９  ガイドレール
１０  機器昇降手段
１１  ガイドレール
１２  支持フレーム
１３  昇降支柱
１４  昇降体
１５  ディスプレイ
１６  ストッパ
１７  収納ボックス
１８  パソコン本体
１９  キーボード
２０  トレー
２１  ロック装置
２２  ねじ
２３  基板
２３ａ下向折曲片
２４  操作レバー
２４ａ把手
２５  固定ストッパ部材
２５ａ上向片
２５ｂ外向起立片
２６  長孔
２７  段付きボルト
２７ａ角軸部
２８  押動部
２８ａ下向片
２８ｂ後向片
２８ｃ上向傾斜片
２９  引張コイルばね(後向き付勢手段)
２９ａ足片
３０  ボルト
３１  ナット
３２  起立片
３３  係止溝
３４  ガイド孔
３５  支持片
３５ａ下向片
３５ｂ内向片
３６  通孔
３７  軸受部材
３８  移動ストッパ部材
３８ａ下向傾斜片
３９  通孔
４０  軸受部材
４０ａ拡径鍔部
４１  支持軸
４１ａ拡径頭部
４１ｂねじ軸
４２  圧縮コイルばね(上向き付勢手段)
４３  めねじ孔
【図１】
2010252849.tif 000003
【図２】
2010252849.tif 000004
【図３】
2010252849.tif 000005
【図４】
2010252849.tif 000006
【図５】
2010252849.tif 000007
【図６】
2010252849.tif 000008
【図７】
2010252849.tif 000009
【図８】
2010252849.tif 000010
【図９】
2010252849.tif 000011